(57)【要約】【目的】携帯用で寝心地がよく且つ快適な温度を供するウォーターマットを提供する。【構成】軽量で柔軟な袋体に適温・適量の水等の溶液を入れたもを閉栓する。それに所定のように組み合わせてカバー地で包んで完成する。【選択図】  図２
2004329838.tif 000002
【特許請求の範囲】
【請求項１】
加温または常温または冷却した水を袋体に入れた際、厚みを調整した該袋体を組み合わせる事により、寝心地を良くしたことを特徴とする携帯用ウォーターマット。
【請求項２】
加温または常温の水を入れた前記袋体の上、身体の下側に空気との反応による発熱発生体を置き、加温または常温の水を入れた該袋体を該発熱発生体で適度な面積で覆うことにより水の温度を適度に保ち且つ該発熱発生体により身体に適度な加温を与え、並びに水を入れた該袋体でクッション性を供することを特徴とする携帯用ウォーターマット。
【請求項３】
前記発熱発生体を請求項２の前記袋体の上に乗せて該袋体を組み合わせる事により、寝心地を良くしたことを特徴とする請求項１の携帯用ウォーターマット。
【発明の詳細な説明】
【０００１】
【発明の属する技術分野】
この発明は、柔軟で軽量なプラスチックフィルムまたは柔軟で軽量なプラスチックフイルムと織物のラミネートを熱接着加工し薄い袋体を形成し、その中に適温・適量の水を入れ、または該袋体に空気との反応による発熱発生体を乗せ、そのクッション性と温度面からも座り心地または寝心地面からも検討された携帯用ウォーターマットに関する。
【０００２】
【従来の技術】
従来、ウォーターマットと称する製品は、そのウォーターと称する内容物を温度調整するには電気によるサーモスタット等により発熱をコントロールしてきた。それは、一度使用し始めると常時電気を使用せねばならず、携帯用としての機能は有していない。
【０００３】
また、寝心地から携帯用のウォーターマットとして検討されているものは無いのが現状であった。
【０００４】
こうしたものは、その大きさも重量もあり携帯することができる水準ではなかった。しかし、これを携帯用とするのにその寝心地面から適度な温度を供するとう考えがなかった。
【０００５】
空気との反応による発熱発生体は携帯用であるが加温による作用だけでクッション性はなくまた、寝心地面から適度な温度を供するものではなかった。
【０００６】
【発明が解決しようとする課題】
本発明は、上記のような不都合を解決しようとするものであり、これを組み合わせる事により携帯用で、暫時睡眠をとる場合にも利用できるようにする事を目的とするものである。
【０００７】
【課題を解決するための手段】
本発明の発明者は、ウォーターマットを携帯用にし、且つその温度および寝心地を適度なものとするため鋭意研究を重ねた。その結果、柔軟で軽量なプラスチックフィルム同士または柔軟で軽量なプラスチックフィルムと織物とのラミネート同士を適宜な形状にした型を作製し、その型に基づいて熱接着加工し、また該プラスチックフィルムまたは該プラスチックフィルムと織物とのラミネートとプラスチック製注排口を熱接着加工して袋体を形成する。取り付けた注排口から適温・適量の水を該袋体に供給し、該袋体を組み合わせることにより、眠ることもできるウォーターマットを作製した。そのようにすることにより携帯用に簡便なウォーターマットとしての機能上の問題が解決される事が有効である事を突き止め、本発明を完成するに到ったものである。なお、その特徴は分割して加温された、または常温、または冷却された水を適量入れた袋体をいかように組み合わせるかにかかる。
【０００８】
また加温された水、または常温水の適度な温度に保ち且つ長時間に渡りその適温を有効に保つ方法である。それは空気との反応する発熱発生体を加温された水、または常温水を入れた前記袋体の上に適当な面積で該発熱発生体で覆う事による。
【００９】
【発明の実地の形熊】以下、本発明について詳細に説明する。
【００１０】
図１は、袋体１、柔軟で軽量なウレタン発泡体２、そしてこれらを包む柔軟で軽量なカバー地３から構成される携帯用ウォーターマットである。該袋体１は柔軟で軽量なプラスチックフィルム同士または柔軟で軽量なプラスチックフィルムと織物とのラミネート同士を熱接着加工して水の移動を安定させ、大きさと厚さを携帯用に製作したものである。該袋体は適温の水を入れる注排口があり、ここから適量・適温の水を入れる。それにより該袋体は適当な厚みと適温を持つ該袋体となる。該袋体を該ウレタン発泡体２の上に置き、これらを織物の該カバー地３に包み、この上に坐ると適温な快適性と適度なクッション性を供する。
【００１１】
図２は、幾つかの前記袋体１、柔軟で軽量なウレタン発泡体２、そしてこれらを包む柔軟で軽量なカバー地３から構成される携帯用ウォーターマットの全体である。マットの下が小石等の凹凸と硬さがある地面等に敷いて使用する時、適温・適量の水の入った該袋体の水が凹凸を吸収することで安定した位置を保ち寝心地を良くする。
【００１２】
また図２は、適温の水を適量入れて前記袋体の厚さを調整した該袋体１を肩の部分に相当するところに左右に２箇所、腰の部分に相当するところに左右に２箇所、足の部分に相当するところに左右に２箇所、合計６箇所に袋体１を配置し組み合わせることにより、該袋体により生理学的な適温と適度なクッション性を供する携帯用ウォーターマットである。人体は生命の維持ため内蔵を中心に恒温を保っていると言われ、それが故に手足の末端の温度制御は放棄されると言われる。
このことにより肩、手先と足先を暖めたり、冷やしたりすることで心地よく感ぜられる現象によりこの部分を温度制御することにより寝心地を良くする。
【００１３】
図３は熱源として空気との反応による発熱発生体８を、前記袋体１の上に置いた携帯用ウォーターマットの部材である。２０℃以下の環境下にて該袋体１に加温した水を入れるとそのままでは放熱により徐々に温度が下がり、その上に坐っていると不快感が増してくる。これをなくすために水の温度を保ち、快適な温度として２５℃〜３６℃の温度を保つために該袋体１の面積に対して均一分布で６０％以上を該発熱発生体８で覆うことにより水の温度と該発熱発生体８の温度も適温内に制御しようとする。これにより寝心地、坐り心地を快適にする。該発熱発生体８は予め空気と反応させ表面温度を３０〜４０℃にしてから該袋体１の上にのせて使用する。
【００１４】
図４は前記発熱発生体８を、前記袋体１のの上に置いた携帯用ウォーターマットの部材である。２０℃以下の環境下にて該袋体１に常温水を入れ空気との反応による該発熱発生体８の熱により快適な温度２５℃〜３６℃を保つために常温水を入れた該袋体１の面積に対して均一分布で９０％以上を該発熱発生体８で覆うことにより該袋体１の中の常温水を適温にし、且つ該発熱発生体８の温度も２５℃〜３６℃の適温内に制御しようとする。これにより寝心地、坐り心地を快適にする。該発熱発生体８は予め空気と反応させ表面温度を３０〜４０℃にしてから使用する。そして該発熱発生体８を常温水を入れた該袋体１の上に置いて予め温度を上昇させてから使用する。
【００１５】
図５は図４の携帯用ウォーターマットの部材を予め温度調整を行ってから前記ウレタン発泡体２の上に置き、それらを織物の前記カバー地３で包んだ携帯用ウォーターマットである。これにより２０℃以下の環境下にて快適な温度、クッション性のある坐り心地のよい携帯用ウォーターマットを供する。
【００１６】
２０℃以下の環境下にて、図２において、加温水を入れた前記袋体１それぞれに対して、前記発熱発生体８を適温にした後に該袋体１の上に該発熱発生体を置いて該袋体１の面積に対して均一分布で６０％以上を発熱発生体８で覆うことにより、長時間に渡り肩、手先と足先を暖め、且つクッション性のある寝心地を供する。
【００１７】
２０℃以下の環境下にて、図２において、常温水を入れた前記袋体１のそれぞれに対して、前記発熱発生体８を予め適温にした後に該袋体１の上に該発熱発生体を置いて該袋体１の面積に対して均一分布で９０％以上を発熱発生体８で覆い、これを予め該袋体１と共に温度を適温まで調整した後、前記ウレタン発泡体２の上に乗せ、織物の前記カバー地３で包むことにより、長時間に渡り肩、手先と足先を暖め、且つクッション性のある寝心地を供する。
【００１８】
【実地例】次に本発明を具体的に実地例で説明するが、本発明はこれらに限定されるものではない。
【００１９】
実地例１  ２０℃以下の環境下にて、４０℃〜５０℃の適温の水を入れた袋体１を厚さ５ｃｍの柔軟で軽量なウレタン発泡体２の上に置きこれらをを柔軟で軽量なナイロン布のカバー地３で包む。該袋体の大きさがたて・よこ３０ｃｍ×３０ｃｍ厚さ数ｍｍの袋体の場合、適量の該加温水として４００ｃ〜１０００ｃｃ、望ましくは８００ｃｃの該加温水を入れ、温度の快適性とクッション性を供する。大きさがたて・よこ３０ｃｍ×６０ｃｍ厚さ数ｍｍの袋体の場合、適量の該加温水として８００ｃ〜２０００ｃｃ、望ましくは１６００ｃｃの該加温水を入れ温度の快適性とクッション性を供する。
【００２０】
実地例２  大きさがたて・よこ６０ｃｍ×１８０ｃｍの携帯用ウォーターマットの場合、図２において頭部の柔軟で軽量なウレタン発泡体２の部位４は、２０ｃｍの巾とし、図２の１ａは肩の部位用に前記袋体を配置し、図２の５は肩から腰の範囲で該袋体の大きさがたて・よこ３０ｃｍ×３０ｃｍの場合、該袋体の中心間で５０ｃｍの間隔に保ち、腰部の袋体として図２の１ｂを配置する。図２の６は腰部から足部までの間で該袋体の大きさがたて・よこ３０ｃｍ×３０ｃｍの場合、該袋体の中心間で８０ｃｍの間隔に保ち、図２の１ｃの足部に該袋体を配置する。図２の７は該ウレタン発泡体だけの部分で巾１５ｃｍをとる。この配置の組み合わせが身長１６０ｃｍ〜１７５ｃｍの人に適する例である。
図２の３ａ，３ｂ，３ｃは前記の１ａ，１ｂ，１ｃの左右に対応する一方の袋体の位置で柔軟で軽量なナイロン布のカバー地で包んだ状態である。
この場合、該袋体の大きさがたて・よこ３０ｃｍ×３０ｃｍの場合は６ヶ使用し、大きさがたて・よこ３０ｃｍ×６０ｃｍの袋体の場合は３ヶ使用する。
２０℃以下の環境下にて、該袋体に予め適温に加温され、適量の水を入れて使用すると温度の快適性とクッション性により寝心地がよい携帯用ウォーターマットを供する。
【００２１】
実地例３  ２０℃以下の環境下にて、加温した水を使用して長時間適温を保持する場合は、空気との反応する発熱発生体の使い捨てカイロを人体と加温した水を適量いれた前記袋体との間に配置して使用する。図３で大きさがたて・よこ３０ｃｍ×３０ｃｍの該袋体と該使い捨てカイロの組み合わせ例である。該使い捨てカイロの大きさがたて・よこ１０ｃｍ×１３ｃｍの場合である。また該使い捨てカイロのたて・よこの向きを変更しても該袋体の面積と該使い捨てカイロの面積比に変化はなく同様な効果が得られる。この組み合では４個の該使い捨てカイロを使用することで温度が１５℃以下の時、該水の温度２５℃以上を長時間維持し、該使い捨てカイロの温度も２５〜３６℃に維持できる。該袋体との面積比で６０％以上７５％までの該使い捨てカイロの面積が必要である。この該使い捨てカイロは図５に示すようにナイロン布のカバー地３の裏側、該袋体１の上に置いて使用する。
【００２２】
実地例４  温度が１５℃以下の時で、常温水を大きさがたて・よこ３０ｃｍ×３０ｃｍの前記袋体に８００ｃｃを入れ、前記使い捨てカイロの大きさがたて・よこ１０ｃｍ×１３ｃｍを該袋体の上に該袋体の面積に対して９０％以上を該使い捨てカイロで覆う。該使い捨てカイロの温度上昇並びに該袋体中の常温水の温度上昇が適度な温度を供する。該使い捨てカイロの表面温度２５〜３６℃を供する。該袋体の表面温度２５℃近傍を供する。該使い捨てカイロは該袋体の上に乗せる前、予め空気に曝して表面温度を３０℃程に上昇させる。この状態の該使い捨てカイロを常温水を入れた該袋体の上に該使い捨てカイロの大きさがたて・よこ１０ｃｍ×１３ｃｍの場合、６個を載せ１時間程放置してから使用する。これにより温度の快適性を長時間に渡り供する。
【００２３】
実地例５前記実地例３における方法を実地例２の組み合わせの各袋体に対して行う。
【００２４】
実地例６前記実地例４における方法を実地例２の組み合わせの各袋体に対して行う。
【００２５】
比較例１  前記使い捨てカイロを大きさがたて・よこ３０ｃｍ×３０ｃｍの前記加温水を入れた袋体に対して使用する場合、該使い捨てカイロを大きさがたて・よこ１０ｃｍ×１３ｃｍの場合、該使い捨てカイロを３個用いるのは該袋体の面積比で５０％より少なくなり、気温１５℃以下では該袋体に入れた４０〜５０℃に加温された水の温度を長時間、約１時間３０分以上の時間、該袋体の表面を適温度２５℃以上に維持し難い。
【００２６】
比較例２  前記使い捨てカイロを大きさがたて・よこ３０ｃｍ×３０ｃｍの前記常温水を入れた袋体に対して使用する場合、該使い捨てカイロを大きさがたて・よこ１０ｃｍ×１３ｃｍの場合、５個を使用するのは該袋体との面積比で９０％より少なくなり、気温１５℃以下では該袋体に入れた水の温度１０〜１５℃では、該使い捨てカイロの適温度２５℃以上、該袋体の水の温度を適温度２５℃近傍に維持し難い。
【００２７】
比較例３  小石のある所で、柔軟で軽量なウレタン発泡体では凹凸がそのまま伝わり坐り心地、寝心地はよくない。また該ウレタン発泡体の上に使い捨てカイロを置いた場合も小石のあるような凹凸に対して坐り心地、寝心地はよくない。
【００２８】
【発明の効果】
本発明によれば、仮眠を取ったりする際に寝心地が良く、かつ肩、腰、手足部に適温が得られ、且つ適度なクッション性のため、違和感なく直ちに目的のたに供与される。これが市場に供給されれば、野外でのレジャーにおいて仮眠する際、また災害時における救護所での仮眠における携帯用ウォーターマットに供給できる。また坐り心地のよい携帯用ウォーターマットを供給できる。
【図面の簡単な説明】
【図１】本発明に係わる袋体を単体使用した携帯用ウォーターマットの説明図。
【図２】本発明の実施形熊を示す携帯用ウォーターマットの説明図。
【図３】本発明に使用される袋体と発熱発生体の組み合わせ図。
【図４】本発明に使用される袋体と発熱発生体の組み合わせ図
【図５】本発明に係わる図１に発熱発生体を組み合わせ使用した携帯用ウォーターマットの説明図。
【符号の説明】
１袋体
１ａ  肩部を乗せる袋体
１ｂ  腰部または手を乗せる袋体
１ｃ  足部を乗せる袋体
２ウレタン発泡体
３カバー地
３ａカバー地での肩部を乗せる袋の位置
３ｂカバー地での腰部を乗せる袋の位置
３ｃカバー地での足部を乗せる袋の位置
４頭部の位置
５腹部の位置
６肩部の下から足部までの位置
７足部のウレタン発泡体の位置
８発熱発生体
【図１】
2004329838.tif 000003
【図２】
2004329838.tif 000004
【図３】
2004329838.tif 000005
【図４】
2004329838.tif 000006
【図５】
2004329838.tif 000007